(57)【特許請求の範囲】
【請求項１】
天井などの被取付壁に穿設されている被取付孔内に挿通して固定される埋め込み式マイクロホン装置において、
上記被取付孔内に挿通されるマイクケース内の一端部側にマイクユニットが収納され他端部側からマイク出力コードが引き出されているマイクロホン本体と、
上記マイクケースに摺動自在に被せられ上記マイクロホン本体とともに上記被取付孔内に挿通されるスリーブとを含み、
上記マイクケースの一端部側には、縮径された首部が一体に形成され、上記首部には、無負荷状態で上記被取付孔内に挿入可能で軸方向圧縮時に拡径して上記被取付孔に圧接する弾性リングが嵌着されているとともに、上記首部の端部には、上記スリーブとほぼ同径であるフロントカバーが設けられており、
上記スリーブは、上記フロントカバーとの間で上記弾性リングを軸方向に圧縮する一端部を有し、
上記スリーブの他端部側には、上記マイクケースをその他端部側に向けて移動させる一方で上記スリーブをその一端部側に向けて移動させて上記弾性リングを軸方向に圧縮して上記被取付孔に圧接させる緊締手段が設けられていることを特徴とする埋め込み式マイクロホン装置。
【請求項２】
上記スリーブの他端部側と上記マイクケースの他端部側には、それぞれ端板が設けられており、上記緊締手段が、上記スリーブの端板に挿通されている雄ねじと、上記マイクケースの端板に設けられ上記雄ねじと螺合する雌ねじとからなることを特徴とする請求項１に記載の埋め込み式マイクロホン装置。
【請求項３】
上記スリーブの一端部と上記弾性リングとの間には、ワッシャーが介装されていることを特徴とする請求項１または２に記載の埋め込み式マイクロホン装置。
【請求項４】
上記フロントカバーが、上記首部に対して着脱可能に取り付けられていることを特徴とする請求項１ないし３のいずれか１項に記載の埋め込み式マイクロホン装置。
【発明の詳細な説明】
【技術分野】
【０００１】
本発明は、天井や壁面などの被取付壁に穿設されている被取付孔に挿通して固定される埋め込み式マイクロホン装置に関し、さらに詳しく言えば、その固定作業を容易に行える埋め込み式マイクロホン装置に関するものである。
【背景技術】
【０００２】
マイクロホンを天井や壁面もしくは机などの被取付壁に取り付けるにあたって、マイクロホンの存在を目立たないようにする場合、従来では、図６と図７に示すように、被取付壁５に被取付孔５ａを穿設し、この被取付孔５ａにマイクロホン１のマイクケース２を挿通し、フロントカバー３のみが露出するようにしている。
【０００３】
固定方法（取付方法）としては、多くの場合、フロントカバー３を被取付孔５ａよりも大径にして被取付壁５に対する係止部とするとともに、マイクケース２の外周面に雄ねじ２ａを形成し、被取付壁５の裏側で雄ねじ２ａにロックリング（ナット）４を螺合して緊締する方法が採用されている（例えば、特許文献１参照）。
【０００４】
【特許文献１】特開２００６−１１５０６４号公報（図８）
【発明の開示】
【発明が解決しようとする課題】
【０００５】
しかしながら、被取付壁５が例えば天井である場合には、室内側でマイクロホン１を押さえる人と、屋根裏に回ってロックリング４を締め付ける人の２人がかりの作業が必要となる。もっとも、マイクロホン１を粘着テープなどで仮固定しておけば、１人での作業も行えるが、ロックリング４を締め付ける際にマイクロホン１が連れ回りする場合があるため、結局のところ２人がかりの作業が必要となる。
【０００６】
また、被取付壁５の厚さがマイクケース２の軸長よりも厚く、マイクケース２の端部が被取付壁５の裏側に出ない場合には、ロックリング４を螺合できないので、マイクロホン１を被取付壁５に取り付けることができない、という制約もある。
【０００７】
さらには、マイクロホン１の存在をより目立たなくするため、被取付壁５に露出しているフロントカバー３の色を被取付壁５の色に合わせるように要望された場合には、マイクロホン１をほとんど分解してフロントカバー３を取り外し、フロントカバー３を塗装し直したのち、再度マイクロホン１を組み立てる必要がある。
【０００８】
したがって、本発明の課題は、被取付壁の厚さがマイクロホンの軸長よりも厚い場合を含めて、被取付壁に対して１人の作業者で容易に固定することができるようにした埋め込み式マイクロホン装置を提供することにある。
【課題を解決するための手段】
【０００９】
上記課題を解決するため、請求項１に記載の発明は、天井などの被取付壁に穿設されている被取付孔内に挿通して固定される埋め込み式マイクロホン装置において、上記被取付孔内に挿通されるマイクケース内の一端部側にマイクユニットが収納され他端部側からマイク出力コードが引き出されているマイクロホン本体と、上記マイクケースに摺動自在に被せられ上記マイクロホン本体とともに上記被取付孔内に挿通されるスリーブとを含み、上記マイクケースの一端部側には、縮径された首部が一体に形成され、上記首部には、無負荷状態で上記被取付孔内に挿入可能で軸方向圧縮時に拡径して上記被取付孔に圧接する弾性リングが嵌着されているとともに、上記首部の端部には、上記スリーブとほぼ同径であるフロントカバーが設けられており、上記スリーブは、上記フロントカバーとの間で上記弾性リングを軸方向に圧縮する一端部を有し、上記スリーブの他端部側には、上記マイクケースをその他端部側に向けて移動させる一方で上記スリーブをその一端部側に向けて移動させて上記弾性リングを軸方向に圧縮して上記被取付孔に圧接させる緊締手段が設けられていることを特徴としている。
【００１０】
請求項２に記載の発明は、請求項１において、上記スリーブの他端部側と上記マイクケースの他端部側には、それぞれ端板が設けられており、上記緊締手段が、上記スリーブの端板に挿通されている雄ねじと、上記マイクケースの端板に設けられ上記雄ねじと螺合する雌ねじとからなることを特徴としている。
【００１１】
請求項３に記載の発明は、請求項１または２において、上記スリーブの一端部と上記弾性リングとの間には、ワッシャーが介装されていることを特徴としている。
【００１２】
請求項４に記載の発明は、請求項１ないし３のいずれか１項において、上記フロントカバーが、上記首部に対して着脱可能に取り付けられていることを特徴としている。
【発明の効果】
【００１３】
請求項１に記載の発明によれば、フロントカバーを含めて当該マイクロホン装置を被取付壁の被取付孔内に挿通可能であるため、被取付壁の裏側（被取付壁が天井であれば、屋根裏側）から当該マイクロホン装置を被取付孔内に挿通することができ、しかも被取付壁の裏側に位置するスリーブの他端部側に弾性リングを軸方向に圧縮する緊締手段が設けられていることにより、被取付壁の裏側から１人の作業者のみで容易に当該マイクロホン装置を被取付壁に確実に固定することができる。
【００１４】
請求項２に記載の発明によれば、緊締手段が、スリーブの端板に挿通されている雄ねじと、マイクケースの端板に設けられ雄ねじと螺合する雌ねじとからなることにより、例えば被取付壁の厚さが当該マイクロホン装置の軸長よりも厚い場合であっても、雄ねじを回すことができれば、当該マイクロホン装置を被取付壁に固定することができる。
【００１５】
請求項３に記載の発明によれば、スリーブの一端部と弾性リングとの間にワッシャーが介装されていることにより、フロントカバーとの間で弾性リングを均一に圧縮することができる。
【００１６】
請求項４に記載の発明によれば、フロントカバーが首部に対して着脱可能であるため、例えばフロントカバーの色を被取付壁の色に合わせるときなどにおいて、フロントカバーのみを取り外して塗装し直すことができる。
【発明を実施するための最良の形態】
【００１７】
次に、図１〜図５により、本発明の実施形態について説明する。図１は本発明の実施形態に係る埋め込み式マイクロホン装置を一部分解して示す断面図、図２は上記マイクロホン装置の組み立て状態を示す断面図、図３は上記マイクロホン装置の固定機能を説明するための断面図、図４は上記マイクロホン装置を被取付壁に固定した状態を示す断面図、図５は図４とは異なる厚さの被取付壁に上記マイクロホン装置を固定した状態を示す断面図である。
【００１８】
まず、図１を参照して、このマイクロホン装置１０は、被取付壁５の被取付孔５ａ内に固定される埋め込み式マイクロホン装置で、マイクロホン本体１１と、マイクロホン本体１１とともに被取付孔５ａ内に挿通されるスリーブ２１とを備えている。被取付壁５は天井壁や室内の壁もしくは机などであってよい。
【００１９】
マイクロホン本体１１は、金属製の円筒状に形成されたマイクケース１２を有し、その一端部１２ａ側にはマイクユニット１４が収納され、他端部１２ｂ側からはマイクユニット１４からの音声信号を出力するためのマイク出力コード１６が引き出されている。被取付壁５が天井壁であるとすると、マイクケース１２の一端部１２ａは室内側に配置され、他端部１２ｂは屋根裏側に配置される。
【００２０】
マイクケース１２の一端部１２ａ側には、縮径された首部１３が同軸的に一体に連設されている。首部１３の外周には、雄ねじ１３ａが形成されている。この場合、マイクユニット１４は首部１３内に配置されているが、これ以外の場所に配置されてもよい。マイクユニット１４は、コンデンサマイクユニットであることが好ましい。
【００２１】
マイクケース１２の他端部１２ｂ側には、端板１５が設けられている。端板１５には、マイクコード１６を引き出すためのゴムブッシュ１７と、雌ねじ１８とが取り付けられている。この実施形態では、ゴムブッシュ１７が端板１５の中央部分に配置され、雌ねじ１８はその脇に配置されているが、この配置は逆であってもよい。なお、マイクケース１２の軸長は任意に決められてよい。
【００２２】
スリーブ２１は、マイクケース１２に対して摺動可能に被せられる好ましくは金属製の円筒体からなり、マイクケース１２の軸長（首部１３を除く）よりも長い軸長を有している。
【００２３】
スリーブ２１はマイクケース１２に対してガタツキが生じないように、その内径はマイクケース１２の外径とほぼ同一であることが好ましい。また、被取付孔５ａ内でスリーブ２１にガタツキが生じないように、被取付孔５ａの内径をスリーブ２１の外径とほぼ同一にすることが好ましい。
【００２４】
マイクケース１２の首部１３には、弾性リング３０が嵌合される。弾性リング３０は、好ましくはエラストマー材からなり、無負荷（非圧縮）状態における内径は首部１３の外径とほぼ同一で、また、その外径は被取付孔５ａの内径（≒スリーブ２１の外径）とほぼ同一であることが好ましい。弾性リング３０の厚さは、圧縮されたとき拡径して被取付孔５ａに圧接し得る厚さであればよい。
【００２５】
図２に示すように、首部１３に弾性リング３０を嵌めたのち、首部１３の端部にはフロントカバー４０が取り付けられる。フロントカバー４０は、スリーブ２１とほぼ同径の支持リング４１を備え、支持リング４１には防塵用の網体４２が取り付けられている。
【００２６】
本発明において、フロントカバー４０は首部１３に対して着脱可能である。すなわち、この実施形態では、支持リング４１の内径側には、首部１３の雄ねじ１３ａと螺合する雌ねじ４１ａが形成されており、支持リング４１を回すことにより、フロントカバー４０を着脱することができる。なお、ねじに代えてバヨネットマウントを採用してもよい。
【００２７】
図２に示すように、スリーブ２１の一端部２１ａは弾性リング３０に当接し、フロントカバー４０との間で弾性リング３０を圧縮する。その際、スリーブ２１から圧縮力が弾性リング３０に均一にかかるように、この実施形態では、スリーブ２１の一端部２１ａと弾性リング３０との間にワッシャー２２を介装させている。
【００２８】
スリーブ２１の他端部２１ｂ側には、端板２３が設けられている。端板２３には、マイクケース１２側の雌ねじ１８と同軸となる位置に孔２５が穿設されており、この孔２５を通して雄ねじ２４が挿通され上記雌ねじ１８と螺合する。雄ねじ２４の頭部は孔２５よりも大径で、雄ねじ２４はその頭部にて端板に係止される。なお、端板２３にはマイク出力コード１６の挿通孔２６も形成されている。
【００２９】
図２に示すように、このマイクロホン装置１０において、スリーブ２１，弾性リング３０およびフロントカバー４０は、被取付孔５ａとほぼ同径もしくはそれによりも若干小径であるため、例えば屋根裏側からでも被取付孔５ａ内に挿通することができる。
【００３０】
また、雄ねじ２４を図示しないドライバーにて例えば時計方向に回すと、マイクケース１２とスリーブ２１とが相対的に引き寄せられる。
【００３１】
すなわち、マイクケース１２はその他端部１２ｂ側に向けて移動する一方で、スリーブ２１はその一端部２１ａ側に向けて移動する。これにより、弾性リング３０は、スリーブ２１の一端部２１ａ側のワッシャ２２とフロントカバー４０の支持リング４１との間で圧縮され、図３に示すように拡径する。
【００３２】
したがって、図２の状態でマイクロホン装置１０を被取付孔５ａ内に挿通したのち、雄ねじ２４を図示しないドライバーにて例えば時計方向に回して弾性リング３０を圧縮して拡径させることにより、図４に示すように、被取付孔５ａ内に確実に固定することができる。マイクロホン装置１０を被取付孔５ａから取り外すには、雄ねじ２４を反対方向に回して、弾性リング３０の圧縮を解けばよい。
【００３３】
このように、このマイクロホン装置１０は、雄ねじ２４を回すことにより被取付孔５ａ内に固定できるため、雄ねじ２４を回すことができさえすれば、図５に示すように、被取付壁５の厚さが当該マイクロホン装置１０の軸長よりも厚い場合であっても、その被取付孔５ａ内に容易に固定することができる。
【００３４】
また、フロントカバー４０が、マイクケース１２の首部１３に対して着脱可能であるため、例えばフロントカバー４０の色を被取付壁５の色に合わせるときなどにおいて、フロントカバー４０のみを取り外して塗装し直すことができる。
【００３５】
上記実施形態では、スリーブ２１側の雄ねじ２４と、マイクケース１２側の雌ねじ１８とを両者を相対的に引き寄せる緊締手段としているが、変形例（図示しない）として、マイクケース１２の他端部１２ｂ側に強靱な紐を取り付け、その紐をスリーブ２１の他端部２１ｂ側に引き出し、スリーブ２１側を手などて押さえた状態で、上記紐を引っ張り上げて所定の係止手段に係止させることにより、弾性リング３０を圧縮させることも可能である。
【図面の簡単な説明】
【００３６】
【図１】実施形態に係る埋め込み式マイクロホン装置を一部分解して示す断面図。
【図２】上記マイクロホン装置の組み立て状態を示す断面図。
【図３】上記マイクロホン装置の固定機能を説明するための断面図。
【図４】上記マイクロホン装置を被取付壁に固定した状態を示す断面図。
【図５】図４とは異なる厚さの被取付壁に上記マイクロホン装置を固定した状態を示す断面図。
【図６】従来の埋め込み式マイクロホン装置を示す分解図。
【図７】図６の埋め込み式マイクロホン装置を被取付壁に固定した状態を示す説明図。
【符号の説明】
【００３７】
１０  埋め込み式マイクロホン装置
１１  マイクロホン本体
１２  マイクケース
１３  首部
１４  マイクユニット
１５  端板
１６  マイク出力コード
１８  雌ねじ
２１  スリーブ
２２  ワッシャ
２３  端板
２４  雄ねじ
３０  弾性リング
４０  フロントカバー
【図１】
0005005525.tif 000002
【図２】
0005005525.tif 000003
【図３】
0005005525.tif 000004
【図４】
0005005525.tif 000005
【図５】
0005005525.tif 000006
【図６】
0005005525.tif 000007
【図７】
0005005525.tif 000008